(57)【要約】【課題】信号入力があるインターフェイスの数に適した画面を表示させ、不要な画面の切り替えが行われるのを防止する。【解決手段】プロジェクター１０は、外部装置の接続又は切断が検出されると、表示中の画面と、信号入力があるインターフェイスの数とに基づいて初期画面１１０、入力信号画面１３０、信号選択画面１４０のいずれかを表示させ、投射部２０が入力信号画面１３０を表示した状態で外部装置の接続又は切断が検出され、接続又は切断が検出されたインターフェイスが、入力信号画面１３０に画像を表示中の信号が入力されるインターフェイス以外のインターフェイスである場合、入力信号画面１３０の表示を継続させ、画面の切り替えを行わない。【選択図】図１
2020064100.tif 000002
【特許請求の範囲】
【請求項１】
表示部と、
複数のインターフェイスと、
複数の前記インターフェイスの各々への外部装置の接続又は切断と、複数の前記インターフェイスの各々への信号入力の有無と、を検出する検出部と、
前記検出部により前記外部装置の接続又は切断が検出されると、前記表示部により表示された画面と、選択されている前記インターフェイスと、信号が入力されている前記インターフェイスの数とに基づいて前記表示部に表示させる画面を第１画面、第２画面、及び第３画面のいずれかに変更する表示制御部と、を備え、
前記第１画面は、前記インターフェイスに信号が入力されていないことを示す画面であり、
前記第２画面は、信号が入力されている前記インターフェイスに入力された信号に基づく画像が表示される画面であり、
前記第３画面は、信号が入力されている複数の前記インターフェイスのうち、いずれの前記インターフェイスに入力された信号に基づく画像を表示させるのかを選択させる画面であり、
前記表示制御部は、さらに、前記表示部に前記第２画面を表示した状態で前記外部装置の切断が検出され、切断が検出された前記インターフェイスが、前記第２画面に表示された画像の元になる信号が入力される前記インターフェイスである場合、
信号が入力されている前記インターフェイスが存在しないときは、前記第１画面を表示し、
信号が入力されている前記インターフェイスの数が１つのときは、当該信号が入力されている前記インターフェイスに入力された信号に基づく画像が表示される前記第２画面を表示し、
信号が入力されている前記インターフェイスの数が複数のときは、前記第３画面を表示する、表示装置。
【請求項２】
前記表示制御部は、前記表示部に前記第２画面を表示した状態で前記外部装置の接続が検出され、信号が入力されている前記インターフェイスの数が複数に変化しても、前記第２画面の表示を継続する、請求項１記載の表示装置。
【請求項３】
前記表示制御部は、前記外部装置の接続又は切断が検出されると、前記検出部に、複数の前記インターフェイスの各々に信号の入力があるか否かを検出させる、請求項１又は２に記載の表示装置。
【請求項４】
前記表示制御部は、前記表示部に、アプリケーションプログラムを実行して第４画面を表示させた状態で、前記外部装置の接続又は切断が検出されても、前記第４画面の表示を継続する、請求項１から３のいずれか一項に記載の表示装置。
【請求項５】
複数の前記インターフェイスの少なくとも１つは、前記外部装置から供給される予め設定された電圧の信号が入力される端子を備え、
前記検出部は、前記端子の電圧を検出して前記外部装置の接続及び切断を検出する、請求項１から４のいずれか一項に記載の表示装置。
【請求項６】
前記検出部は、同期信号を検出して信号が入力されている前記インターフェイスを検出する、請求項１から５のいずれか一項に記載の表示装置。
【請求項７】
前記検出部は、前記外部装置との接続が検出された前記インターフェイスの数を、信号が入力されている前記インターフェイスの数として検出する、請求項１から６のいずれか一項に記載の表示装置。
【請求項８】
表示部と、複数のインターフェイスと、を備える表示装置の制御方法であって、
複数の前記インターフェイスの各々への外部装置の接続又は切断と、複数の前記インターフェイスの各々への信号入力の有無と、を検出する検出ステップと、
前記外部装置の接続又は切断が検出されると、前記表示部により表示された画面と、信号が入力されている前記インターフェイスの数とに基づいて前記表示部に表示させる画面を第１画面、第２画面、及び第３画面のいずれかに変更する表示ステップと、を有し、
前記第１画面は、前記インターフェイスに信号が入力されていないことを示す画面であり、
前記第２画面は、信号が入力されている前記インターフェイスに入力された信号に基づく画像が表示される画面であり、
前記第３画面は、信号が入力されている複数の前記インターフェイスのうち、いずれの前記インターフェイスに入力された信号に基づく画像を表示させるのかを選択させる画面であり、
前記表示ステップは、さらに、前記表示部に前記第２画面を表示した状態で前記外部装置の切断が検出され、切断が検出された前記インターフェイスが、前記第２画面に表示された画像の元になる信号が入力される前記インターフェイスである場合、
信号が入力されている前記インターフェイスが存在しないときは、前記第１画面を表示し、
信号が入力されている前記インターフェイスの数が１つのときは、当該信号が入力されている前記インターフェイスに入力された信号に基づく画像が表示される前記第２画面を表示し、
信号が入力されている前記インターフェイスの数が複数のときは、前記第３画面を表示する、表示装置の制御方法。
【請求項９】
前記表示ステップは、前記表示部に前記第２画面を表示した状態で前記外部装置の接続が検出され、信号が入力されている前記インターフェイスの数が複数に変化しても、前記第２画面の表示を継続する、請求項８記載の表示装置の制御方法。
【請求項１０】
前記検出ステップは、前記外部装置の接続又は切断が検出されると、複数の前記インターフェイスの各々に信号が入力されているか否かを検出する、請求項８又は９に記載の表示装置の制御方法。
【請求項１１】
前記表示ステップは、前記表示部に、アプリケーションプログラムを実行して第４画面を表示させた状態で、前記外部装置の接続又は切断が検出されても、前記第４画面の表示を継続する、請求項８から１０のいずれか一項に記載の表示装置の制御方法。
【請求項１２】
複数の前記インターフェイスの少なくとも１つは、前記外部装置から供給される予め設定された電圧の信号が入力される端子を備え、
前記検出ステップは、前記端子の電圧を検出して前記外部装置の接続及び切断を検出する、請求項８から１１のいずれか一項に記載の表示装置の制御方法。
【請求項１３】
前記検出ステップは、同期信号を検出して信号が入力されている前記インターフェイスを検出する、請求項８から１２のいずれか一項に記載の表示装置の制御方法。
【請求項１４】
前記検出ステップは、前記外部装置との接続が検出された前記インターフェイスの数を、信号が入力されている前記インターフェイスの数として検出する、請求項８から１３のいずれか一項に記載の表示装置の制御方法。
【発明の詳細な説明】
【技術分野】
【０００１】
本発明は、表示装置及び表示装置の制御方法に関する。
【背景技術】
【０００２】
従来、表示装置は、外部装置との接続のためのインターフェイスを複数備える。表示装置は、複数のインターフェイスのいずれかに外部装置が新たに接続されると、この接続が検出されたインターフェイスに入力される信号に基づく表示に切り替えている。
例えば、特許文献１に開示の表示装置は、複数の映像ソース端子の各々に入力される信号の有無を監視し、信号入力がない映像ソース端子が、信号入力がある映像ソース端子に切り替わったことを検出して当該映像ソース端子を表示対象として選択する。
【先行技術文献】
【特許文献】
【０００３】
【特許文献１】特開２０１０−１７６０６０号公報
【発明の概要】
【発明が解決しようとする課題】
【０００４】
しかしながら、複数人が同じ表示装置に外部装置を接続する環境では、使用者が意図しないタイミングで外部装置の映像が表示されることを防止するため、表示する外部装置を選択できることが望ましい。一方、外部装置の接続及び切断の度に選択を要求するとユーザーに余計な負荷を生じさせる。
本発明は、信号入力があるインターフェイスの数に適した画面を表示させ、不要な画面の切り替えが行われるのを防止する。
【課題を解決するための手段】
【０００５】
上記目的を達成する一態様は、表示部と、複数のインターフェイスと、複数の前記インターフェイスの各々への外部装置の接続又は切断と、複数の前記インターフェイスの各々への信号入力の有無と、を検出する検出部と、前記検出部により前記外部装置の接続又は切断が検出されると、前記表示部により表示された画面と、選択されている前記インターフェイスと、信号が入力されている前記インターフェイスの数とに基づいて前記表示部に表示させる画面を第１画面、第２画面、及び第３画面のいずれかに変更する表示制御部と、を備え、前記第１画面は、前記インターフェイスに信号が入力されていないことを示す画面であり、前記第２画面は、信号が入力されている前記インターフェイスに入力された信号に基づく画像が表示される画面であり、前記第３画面は、信号が入力されている複数の前記インターフェイスのうち、いずれの前記インターフェイスに入力された信号に基づく画像を表示させるのかを選択させる画面であり、前記表示制御部は、さらに、前記表示部に前記第２画面を表示した状態で前記外部装置の切断が検出され、切断が検出された前記インターフェイスが、前記第２画面に表示された画像の元になる信号が入力される前記インターフェイスである場合、信号が入力されている前記インターフェイスが存在しないときは、前記第１画面を表示し、信号が入力されている前記インターフェイスの数が１つのときは、当該信号が入力されている前記インターフェイスに入力された信号に基づく画像が表示される前記第２画面を表示し、信号が入力されている前記インターフェイスの数が複数のときは、前記第３画面を表示する、表示装置である。
【０００６】
上記表示装置において、前記表示制御部は、前記表示部に前記第２画面を表示した状態で前記外部装置の接続が検出され、信号が入力されている前記インターフェイスの数が複数に変化しても、前記第２画面の表示を継続する構成であってもよい。
【０００７】
上記表示装置において、前記表示制御部は、前記外部装置の接続又は切断が検出されると、前記検出部に、複数の前記インターフェイスの各々に信号の入力があるか否かを検出させる構成であってもよい。
【０００８】
上記表示装置において、前記表示制御部は、前記表示部に、アプリケーションプログラムを実行して第４画面を表示させた状態で、前記外部装置の接続又は切断が検出されても、前記第４画面の表示を継続する構成であってもよい。
【０００９】
上記表示装置において、複数の前記インターフェイスの少なくとも１つは、前記外部装置から供給される予め設定された電圧の信号が入力される端子を備え、前記検出部は、前記端子の電圧を検出して前記外部装置の接続及び切断を検出する構成であってもよい。
【００１０】
上記表示装置において、前記検出部は、同期信号を検出して信号が入力されている前記インターフェイスを検出する構成であってもよい。
【００１１】
上記表示装置において、前記検出部は、前記外部装置との接続が検出された前記インターフェイスの数を、信号が入力されている前記インターフェイスの数として検出する構成であってもよい。
【００１２】
上記目的を達成する別の一態様は、表示部と、複数のインターフェイスと、を備える表示装置の制御方法であって、複数の前記インターフェイスの各々への外部装置の接続又は切断と、複数の前記インターフェイスの各々への信号入力の有無と、を検出する検出ステップと、前記外部装置の接続又は切断が検出されると、前記表示部により表示された画面と、信号が入力されている前記インターフェイスの数とに基づいて前記表示部に表示させる画面を第１画面、第２画面、及び第３画面のいずれかに変更する表示ステップと、を有し、前記第１画面は、前記インターフェイスに信号が入力されていないことを示す画面であり、前記第２画面は、信号が入力されている前記インターフェイスに入力された信号に基づく画像が表示される画面であり、前記第３画面は、信号が入力されている複数の前記インターフェイスのうち、いずれの前記インターフェイスに入力された信号に基づく画像を表示させるのかを選択させる画面であり、前記表示ステップは、さらに、前記表示部に前記第２画面を表示した状態で前記外部装置の切断が検出され、切断が検出された前記インターフェイスが、前記第２画面に表示された画像の元になる信号が入力される前記インターフェイスである場合、信号が入力されている前記インターフェイスが存在しないときは、前記第１画面を表示し、信号が入力されている前記インターフェイスの数が１つのときは、当該信号が入力されている前記インターフェイスに入力された信号に基づく画像が表示される前記第２画面を表示し、信号が入力されている前記インターフェイスの数が複数のときは、前記第３画面を表示する、表示装置の制御方法である。
【００１３】
上記表示装置の制御方法において、前記表示ステップは、前記表示部に前記第２画面を表示した状態で前記外部装置の接続が検出され、信号が入力されている前記インターフェイスの数が複数に変化しても、前記第２画面の表示を継続する構成であってもよい。
【００１４】
上記表示装置の制御方法において、前記検出ステップは、前記外部装置の接続又は切断が検出されると、複数の前記インターフェイスの各々に信号が入力されているか否かを検出する構成であってもよい。
【００１５】
上記表示装置の制御方法において、前記表示ステップは、前記表示部に、アプリケーションプログラムを実行して第４画面を表示させた状態で、前記外部装置の接続又は切断が検出されても、前記第４画面の表示を継続する構成であってもよい。
【００１６】
上記表示装置の制御方法において、複数の前記インターフェイスの少なくとも１つは、前記外部装置から供給される予め設定された電圧の信号が入力される端子を備え、前記検出ステップは、前記端子の電圧を検出して前記外部装置の接続及び切断を検出する構成であってもよい。
【００１７】
上記表示装置の制御方法において、前記検出ステップは、同期信号を検出して信号が入力されている前記インターフェイスを検出する構成であってもよい。
【００１８】
上記表示装置の制御方法において、前記検出ステップは、前記外部装置との接続が検出された前記インターフェイスの数を、信号が入力されている前記インターフェイスの数として検出する構成であってもよい。
【図面の簡単な説明】
【００１９】
【図１】プロジェクターの構成を示すブロック図。
【図２】インターフェイス部の構成を示すブロック図。
【図３】初期画面を示す図。
【図４】信号なし画面を示す図。
【図５】入力信号画面を示す図。
【図６】信号選択画面を示す図。
【図７】アプリ画面を示す図。
【図８】制御部の動作を示すフローチャート。
【図９】接続が検出されたときに表示する画面の表示条件を示す図。
【図１０】接続が検出されたときの制御部の動作を示すフローチャート。
【図１１】切断が検出されたときに表示する画面の表示条件を示す図。
【図１２】切断が検出されたときの制御部の動作を示すフローチャート。
【発明を実施するための形態】
【００２０】
図１は、表示装置としてのプロジェクター１０の構成を示すブロック図である。
図１を参照しながらプロジェクター１０の構成について説明する。
プロジェクター１０は、光学的な画像である画像光ＰＬを生成してスクリーンＳＣに投射する画像投射系と、光学的な画像の元になる画像データを電気的に処理する画像処理系と、これらの各部を制御する制御部７０とを備える。本実施形態では、プロジェクター１０がスクリーンＳＣの上方又は斜め上方の壁に設置され、スクリーンＳＣに向けて画像を投射する場合について説明する。また、プロジェクター１０の設置方法は、壁に設置される壁掛け設置に限定されず、机や台、床の上に平置きする平置き設置や、プロジェクター１０を天井から吊り下げる天吊り設置であってもよい。また、スクリーンＳＣは、壁に固定され又は床面に立設された平板又は幕である。プロジェクター１０が画像を投射する投射対象はスクリーンＳＣに限定されず、例えば、壁面自体をスクリーンとして使用することも可能である。
【００２１】
画像投射系は、投射部２０を備える。投射部２０は、光源２１、光変調装置２３及び光学ユニット２５を備える。投射部２０は、本発明の「表示部」として機能する。
【００２２】
光源２１には、ハロゲンランプ、キセノンランプ、超高圧水銀ランプ等のランプが用いられる。また、光源２１には、ＬＥＤ（Light Emitting Diode））やレーザー光源等の固体光源を用いてもよい。
【００２３】
光源２１には、駆動回路３１が接続される。駆動回路３１は、光源２１及び制御部７０に接続され、制御部７０の制御に従って光源２１に駆動電流やパルスを供給し、光源２１を駆動する。
【００２４】
光変調装置２３は、光源２１が発する光を変調して画像光ＰＬを生成する光変調素子を備える。光変調装置２３は、光変調素子が生成した画像光ＰＬを光学ユニット２５に射出する。光変調素子には、例えば、透過型の液晶ライトバルブ、反射型の液晶ライトバルブ、デジタルミラーデバイス等を用いることができる。
【００２５】
光変調装置２３には、光変調装置駆動部３３が接続される。光変調装置駆動部３３は、制御部７０及び光変調装置２３に接続され、制御部７０の制御に従って光変調装置２３を駆動し、光変調素子にフレーム単位で画像を描画する。例えば、光変調装置２３が液晶ライトバルブで構成される場合、光変調装置駆動部３３は液晶を駆動するドライバー回路により構成される。
【００２６】
光学ユニット２５は、レンズやミラー等の光学素子を備え、光変調装置２３で変調された画像光ＰＬをスクリーンＳＣに向けて投射する。これによりスクリーンＳＣには、画像光ＰＬに基づく画像が結像する。投射部２０がスクリーンＳＣに投射する画像を投射画像といい、投射部２０が投射画像を投射するスクリーンＳＣ上の範囲を投射領域という。投射領域は、プロジェクター１０が投射画像を投射可能なスクリーンＳＣの最大の領域を指し、例えば、光変調装置２３の光変調素子において通常使用する領域全体に対応するスクリーンＳＣの領域である。
【００２７】
プロジェクター１０は、リモコン受光部４１、操作パネル４３及び撮像部４５を備える。
リモコン受光部４１は、リモコン５により送信される赤外線信号を受光する。リモコン受光部４１は、受光した赤外線信号に対応した操作信号を制御部７０に出力する。この操作信号は、操作されたリモコン５のスイッチに対応した信号である。
操作パネル４３は、例えば、プロジェクター１０の筐体に配置され、各種のスイッチを備える。操作パネル４３のスイッチが操作されると、操作されたスイッチに対応した操作信号が制御部７０に入力される。
【００２８】
撮像部４５は、少なくとも投射領域を含む範囲を撮像して撮像画像データを生成する。撮像部４５は、赤外光を撮像する赤外用撮像素子、及びインターフェイス回路を備え、赤外光による撮像を行う。撮像素子には、ＣＣＤ、ＣＭＯＳのいずれを用いることも可能であり、また、他の素子を用いることもできる。撮像部４５の撮像方向及び撮像範囲は、光学ユニット２５と同じ方向又は略同じ方向を向き、光学ユニット２５がスクリーンＳＣ上に画像を投射する範囲をカバーする。
【００２９】
次に、プロジェクター１０の画像処理系について説明する。
プロジェクター１０は、画像処理系としてインターフェイス部５０、画像処理部５３、フレームメモリー５５、記憶部６０及び制御部７０を備える。
【００３０】
インターフェイス部５０は、複数の外部装置を接続可能であり、外部装置に接続するための複数のインターフェイスを備える。インターフェイス部５０は、プロジェクター１０に接続した外部装置から画像信号を受信し、受信した画像信号に含まれる画像データや同期信号を取り出す。インターフェイス部５０は、取り出した画像データや同期信号を画像処理部５３に出力する。また、インターフェイス部５０は、取り出した同期信号を制御部７０に出力する。画像処理部５３は、同期信号に同期して画像データの１フレームを処理する。画像処理部５３は、処理した画像データを光変調装置駆動部３３に出力する。制御部７０は、同期信号に同期してプロジェクター１０の各部を制御する。１フレームとは、１画面分の画像が表示される期間である。また、画像データの１フレームとは、同期信号に含まれる垂直同期信号で規定される垂直走査期間に表示される画像データである。
【００３１】
インターフェイス部５０が備えるインターフェイスは、有線のインターフェイスであってもよいし、無線のインターフェイスであってもよい。また、有線のインターフェイスは、画像データが入力されるインターフェイスであってもよいし、データ通信を行う通信インターフェイスであってもよい。
【００３２】
図２は、インターフェイス部５０の詳細な構成を示すブロック図である。
ここで、図２を参照しながらインターフェイス部５０の構成について説明する。
本実施形態のインターフェイス部５０は、第１インターフェイス５１０、第２インターフェイス５２０、通信インターフェイス５３０及び無線通信部５４０を備える。
【００３３】
第１インターフェイス５１０は、例えば、ＤＶＩ（Digital Visual Interface）や、ＨＤＭＩ（High-Definition Multimedia Interface）、Ｄｉｓｐｌａｙ Ｐｏｒｔ、ＨＤＢａｓｅＴ等のデジタルインターフェイスである。第１インターフェイス５１０は、デジタルインターフェイスの規格に対応したコネクター５１１及びインターフェイス回路５１３を備える。ＨＤＭＩ及びＨＤＢａｓｅＴは、登録商標である。
【００３４】
インターフェイス回路５１３は、第１インターフェイス５１０への外部装置の接続又は切断を検出する検出部として機能し、コネクター５１１へのケーブルの接続及び切断を検出する。例えば、コネクター５１１に接続されるケーブルには、ＨＰＤ（Hot Plug Detect）ラインが含まれ、インターフェイス回路５１３は、このＨＰＤラインが接続された端子の電圧変化を検出して、外部装置の接続及び切断を検出する。コネクター５１１にケーブルが接続されて外部装置が接続されると、ＨＰＤラインが接続された端子の電圧がしきい値の電圧よりも高くなる。また、コネクター５１１とケーブルとの接続が切断され、プロジェクター１０と外部装置との接続が解消されると、ＨＰＤラインが接続された端子の電圧がしきい値の電圧よりも低くなる。インターフェイス回路５１３は、ＨＰＤラインが接続された端子の電圧がしきい値の電圧よりも高くなった場合、コネクター５１１にケーブルが接続されたと判定する。また、インターフェイス回路５１３は、ＨＰＤラインが接続された端子の電圧がしきい値の電圧よりも低くなった場合、コネクター５１１からケーブルが取り外されたと判定する。インターフェイス回路５１３は、ケーブルの接続が検出された場合、ケーブルの接続を通知する信号を制御部７０に出力する。また、インターフェイス回路５１３は、ケーブルの切断が検出された場合、ケーブルの切断を通知する信号を制御部７０に出力する。ケーブルの接続を通知する信号を以下では、接続通知信号といい、ケーブルの切断を通知する信号を切断通知信号という。
【００３５】
第２インターフェイス５２０は、例えば、ＶＧＡ（Video Graphics Array）や、Ｄ端子、Ｓ端子等のアナログインターフェイスである。第２インターフェイス５２０は、アナログインターフェイスの規格に対応したコネクター５２１及びインターフェイス回路５２３を備える。
【００３６】
インターフェイス回路５２３は、第２インターフェイス５２０への外部装置の接続又は切断を検出する検出部として機能し、コネクター５２１へのケーブルの接続及び切断を検出する。インターフェイス回路５２３は、インターフェイス回路５１３と同様に、ＨＰＤラインが接続された端子の電圧変化を検出して、外部装置の接続及び切断を検出する。インターフェイス回路５２３は、ケーブルの接続を検出した場合、接続通知信号を制御部７０に出力する。また、インターフェイス回路５２３は、ケーブルの切断を検出した場合、切断通知信号を制御部７０に出力する。
【００３７】
通信インターフェイス５３０は、例えば、ＵＳＢ（Universal Serial Bus）やＥｔｈｅｒｎｅｔ、ＩＥＥＥ１３９４等の通信インターフェイスである。Ｅｔｈｅｒｎｅｔは、登録商標である。通信インターフェイス５３０は、通信インターフェイスの規格に対応したコネクター５３１及びインターフェイス回路５３３を備える。
【００３８】
インターフェイス回路５３３は、通信インターフェイス５３０への外部装置の接続又は切断を検出する検出部として機能する。インターフェイス回路５３３は、外部装置から送信される接続要求を受信して、外部装置のプロジェクター１０への接続を検出する。また、インターフェイス回路５３３は、外部装置から送信される切断要求を受信して、外部装置のプロジェクター１０からの切断を検出する。インターフェイス回路５３３は、外部装置の接続を検出した場合、接続通知信号を制御部７０に出力する。また、インターフェイス回路５３３は、外部装置の切断を検出した場合、切断通知信号を制御部７０に出力する。
【００３９】
無線通信部５４０は、アンテナ、ＲＦ回路、ベースバンド回路等を含む通信モジュールである。無線通信部５４０は、例えば、Ｂｌｕｅｔｏｏｔｈ、Ｗｉ−Ｆｉを含む無線ＬＡＮ、ＮＦＣ（Near Field Communication）等の無線通信を実行する。Ｂｌｕｅｔｏｏｔｈ及びＷｉ−Ｆｉは登録商標である。
【００４０】
無線通信部５４０は、無線通信部５４０への外部装置の接続又は切断を検出する検出部として機能する。無線通信部５４０は、外部装置から送信される接続要求を受信して、プロジェクター１０への外部装置の接続を検出する。また、無線通信部５４０は、外部装置から送信される切断要求を受信して、プロジェクター１０からの外部装置の切断を検出する。無線通信部５４０は、外部装置の接続を検出すると、接続通知信号を制御部７０に出力し、外部装置の切断を検出すると、切断通知信号を制御部７０に出力する。
【００４１】
インターフェイス部５０に接続される外部装置には、例えば、ノート型ＰＣ（Personal Computer）、デスクトップ型ＰＣ、タブレット端末、スマートフォン、ＰＤＡ（Personal Digital Assistant）等が挙げられる。また、外部装置には、例えば、ビデオ再生装置、ＤＶＤプレーヤー、ブルーレイディスクプレーヤー等が挙げられる。さらに、外部装置は、ハードディスクレコーダー、テレビチューナー装置、ＣＡＴＶ（Cable Television）のセットトップボックス、ビデオゲーム機、ＵＳＢメモリーデバイスや入力デバイス等のデバイス等が挙げられる。
【００４２】
図１に戻り、引き続きプロジェクター１０の構成について説明する。
画像処理部５３には、フレームメモリー５５が接続され、インターフェイス部５０から入力された画像データをフレームメモリー５５に展開する。画像処理部５３は、フレームメモリー５５に展開した画像データに対して画像処理を行う。画像処理部５３が行う画像処理には、例えば、解像度変換処理又はリサイズ処理、歪曲収差の補正、形状補正処理、デジタルズーム処理、画像の色合いや輝度の調整等が含まれる。画像処理部５３は、制御部７０により指定された処理を実行し、必要に応じて、制御部７０から入力されるパラメーターを使用して処理を行う。また、画像処理部５３は、上記のうち複数の画像処理を組み合わせて実行することも勿論可能である。画像処理部５３は、画像処理の終了した画像データをフレームメモリー５５から読み出し、光変調装置駆動部３３に出力する。
【００４３】
画像処理部５３及びフレームメモリー５５は、例えば、集積回路により構成される。集積回路には、ＬＳＩ、ＡＳＩＣ（Application Specific Integrated Circuit）、ＰＬＤ（Programmable Logic Device）、ＦＰＧＡ（Field-Programmable Gate Array）、ＳｏＣ（System-on-a-chip）等が含まれる。また、集積回路の構成の一部にアナログ回路が含まれていてもよく、制御部７０と集積回路とが組み合わされた構成であってもよい。
【００４４】
記憶部６０は、ハードディスクドライブやＳＳＤ（Solid State Drive）などを備える。また、記憶部６０は、フラッシュメモリー、ＥＥＰＲＯＭ等の不揮発性のメモリーを備える構成であってもよい。記憶部６０は、制御部７０が備えるプロセッサーが実行するＯＳやアプリケーションプログラム等の制御プログラム６５を記憶する。また、記憶部６０は、制御部７０によって処理される各種のデータを記憶する。例えば、記憶部６０は、画像処理や、投射部２０を制御する制御処理等に関する設定値を記憶する。また、記憶部６０に、プロジェクター１０が投射部２０により投射する画像のソースとなる画像データを予め記憶させておくこともできる。この場合、制御部７０は、記憶部６０から画像データを読み出して画像処理を実行し、投射部２０に画像を投射させる。
【００４５】
制御部７０は、プロセッサーを備える。プロセッサーは、例えば、ＣＰＵ（Central Processing Unit）、ＤＳＰ（Digital Signal Processor）、マイコン等で構成される演算処理装置である。また、プロセッサーは、単一のプロセッサーで構成されてもよいし、複数のプロセッサーの組み合わせにより構成してもよい。また、制御部７０は、（Read Only Memory）やＲＡＭ（Random Access Memory）等のプロセッサーがデータの読み取りが可能なメモリーを備える。
【００４６】
制御部７０は、プロセッサーが制御プログラム６５に従った演算処理を実行する。これにより、制御部７０は、図１に示す指示体検出部７１、処理制御部７２、信号検出部７３及び表示制御部７４として動作する。
【００４７】
指示体検出部７１は、指示体７により指示されるスクリーンＳＣ上の位置を検出する。指示体検出部７１には、撮像部４５が撮像した撮像画像データが入力される。撮像部４５は、少なくともスクリーンＳＣを含む範囲を撮像した撮像画像データを制御部７０に出力する。指示体検出部７１は、入力された撮像画像データから登録された指示体７の画像を抽出する。指示体検出部７１は、抽出した指示体７の画像に基づいて指示体７の先端が発光しているか否かを判定する。指示体７は、指示体７の先端がスクリーンＳＣに接触すると不図示のスイッチがオンし、指示体７の先端において赤外光を発光させる。指示体検出部７１は、指示体７の先端が発光している場合、指示体７の先端の位置を指示位置として検出する。
【００４８】
指示体７は、例えば、棒状の軸部を有するペン型のデバイスであり、プロジェクター１０を操作する操作者が手に持って使用する。指示体７はペン型であるが、指示棒等の棒状の指示体であってもよいし、操作者の手や指を指示体としてもよい。操作者の手や指を指示体として用いる場合、例えば、プロジェクター１０に赤外光を射出する射出装置を設ける。射出装置は、スクリーンＳＣの面に平行に赤外光を出射する。操作者の手や指がスクリーンＳＣに接触すると、射出装置から射出される赤外光が操作者の手や指で反射される。操作者の手や指で反射した赤外光を撮像部４５により撮像して、操作者の手や指のスクリーンＳＣの接触位置を検出する。
【００４９】
処理制御部７２は、指示体検出部７１が検出したスクリーンＳＣ上の指示位置に基づき、例えば、ＧＵＩ（Graphical User Interface）操作を実現する。例えば、指示体検出部７１が検出した指示体７の指示位置が、スクリーンＳＣに表示されたアイコンやボタンに重なる位置である場合、処理制御部７２は、指示体７の先端が重なるアイコンやボタンに設定された機能を実行させる。また、処理制御部７２は、指示体検出部７１が検出した指示位置に基づき、図形等を描画する描画処理を行う。プロジェクター１０は、描画した画像を、投射画像に重ねて投射することができる。具体的には、プロジェクター１０は、投射画像の画像ソースとして選択された画像データに基づく画像と、描画した画像とを重ねて合成した合成画像を生成し、この合成画像を投射画像として投射する。
【００５０】
信号検出部７３は、複数のインターフェイスである第１インターフェイス５１０、第２インターフェイス５２０、通信インターフェイス５３０及び無線通信部５４０への信号入力の有無を検出する。
例えば、信号検出部７３は、接続通知信号が入力されると、この接続通知信号が入力されたインターフェイスを監視して、このインターフェイスが同期信号を受信しているか否かを判定する。インターフェイス回路５１３、５２３、５３３及び無線通信部５４０は、外部装置から画像信号を受信すると、受信した画像信号から同期信号を取り出して制御部７０に出力する。信号検出部７３は、インターフェイス回路５１３、５２３、５３３及び無線通信部５４０から同期信号が入力されることで、この同期信号が入力されたインターフェイスを、信号入力ありのインターフェイスと判定する。
【００５１】
また、信号検出部７３は、インターフェイスが第１インターフェイス５１０及び第２インターフェイス５２０である場合、画像信号が入力される端子の電圧変化に基づいて画像信号の入力があるか否かを判定してもよい。インターフェイス回路５１３及び５２３は、画像信号の伝送に使用されるケーブルが接続される端子の電圧を制御部７０に通知する。
また、信号検出部７３は、接続通知信号が入力されたインターフェイスを信号入力ありのインターフェイスと判定し、切断通知信号が入力されたインターフェイスを信号入力なしのインターフェイスと判定してもよい。
【００５２】
表示制御部７４は、画像処理部５３及び投射部２０を制御してスクリーンＳＣに画面を表示させる。表示制御部７４は、信号検出部７３により信号入力ありと判定されたインターフェイスの数と、インターフェイス回路５１３、５２３、５３３及び無線通信部５４０が検出した接続の有無とに基づいてスクリーンＳＣに表示させる画面を変更する。
また、表示制御部７４は、インターフェイス回路５１３、５２３、５３３及び無線通信部５４０のいずれかにより外部装置の接続又は切断が検出されると、信号検出部７３に、複数のインターフェイスの各々について、信号入力があるか否かを検出させる。
【００５３】
また、表示制御部７７がスクリーンＳＣに表示させる画面には、第１画面である初期画面１１０及び信号なし画面１２０と、第２画面である入力信号画面１３０と、第３画面である信号選択画面１４０と、第４画面であるアプリ画面１５０とが含まれる。
【００５４】
図３は、初期画面１１０を示す図である。初期画面１１０は、インターフェイス部５０のすべてのインターフェイスが接続を未検出であり、信号入力があるインターフェイスの数が０である場合に表示される画面である。初期画面１１０には、画像信号の入力方法を説明するメッセージが表示される。
【００５５】
図４は、信号なし画面１２０を示す図である。信号なし画面１２０も、信号入力ありのインターフェイスの数が０である場合に、信号入力ありのインターフェイスがないことを示す画面である。また、信号なし画面１２０は、インターフェイス部５０のいずれかのインターフェイスに接続を切り替えた状態で、切り替えたインターフェイスにおいて画像信号の入力がない場合に表示させる画面である。初期画面１１０及び信号なし画面１２０は、投射部２０が画像データに基づく画像を非表示であるときに表示させる画面である。
【００５６】
図５は、入力信号画面１３０を示す図である。入力信号画面１３０は、信号入力ありのインターフェイスの数が１である場合に、信号入力ありのインターフェイスに入力された信号に基づく画像が表示される画面である。この入力信号画面１３０には、外部装置から入力された画像信号に基づく画像が表示される。また、プロジェクター１０が２台の外部装置に接続され、接続された外部装置の各々から画像信号の入力がある場合に、画面を複数に分割した分割画面に、入力された画像信号の各々に基づく画像を表示させてもよい。
【００５７】
図６は、信号選択画面１４０を示す図である。信号選択画面１４０は、信号入力ありのインターフェイスの数が複数である場合、信号入力がある複数のインターフェイスのうち、いずれのインターフェイスに入力された信号に基づく画像を表示させるのかを操作者に選択させる画面である。信号選択画面１４０には、複数のサムネイル画像１４５が表示される。このサムネイル画像１４５は、プロジェクター１０に入力された画像信号に基づいて生成された画像のサムネイルである。操作者は、スクリーンＳＣに表示されたサムネイル画像１４５を視認し、スクリーンＳＣに表示させる画像を選択する。スクリーンＳＣに表示させる画像が操作者の操作により選択されると、表示制御部７４は、スクリーンＳＣの表示を信号選択画面１４０から入力信号画面１３０に変更する。この入力信号画面１３０には、操作者により選択されたインターフェイスに入力される画像信号に基づく画像が表示される。
【００５８】
図７は、アプリ画面１５０を示す図である。アプリ画面１５０は、制御部７０が制御プログラム６５に含まれるアプリケーションプログラムを実行して表示する画面である。より具体的には、アプリ画面１５０は、制御部７０が生成した画像を表示させる画面であり、インターフェイス部５０に接続された外部装置から供給された画像信号に基づく画像は表示されない。
【００５９】
本実施形態では、アプリ画面１５０として、制御部７０に、インタラクティブホワイトボードの機能を実現するアプリケーションを実行させた場合の画面を示す。このアプリ画面１５０には、ツールボックス１７０が表示される。ツールボックス１７０には、例えば、処理を元に戻す取消アイコンや、描画用のペンツールを選択するペンアイコン、描画された画像を消去する消しゴムツールを選択する消しゴムアイコン等の複数のアイコンが表示される。プロジェクター１０は、指示体７の先端が接するスクリーンＳＣ上の位置を検出して、指示体７により選択されたツールボックス１７０のボタンを判定する。
【００６０】
制御部７０は、電源スイッチがオンされて起動すると、インターフェイス部５０が備えるインターフェイスのうち、外部装置に接続され、外部装置から画像信号の入力があるインターフェイスがあるか否かを判定する。
【００６１】
制御部７０は、画像信号の入力があるインターフェイスの数が「０」である場合、スクリーンＳＣに初期画面１１０を表示させる。また、制御部７０は、画像信号の入力があるインターフェイスの数が「１」である場合、入力信号画面１３０を表示させる。具体的には、制御部７０は、入力された画像信号に基づく画像を入力信号画面１３０として表示させる。
【００６２】
また、制御部７０は、画像信号の入力があるインターフェイスの数が複数である場合、信号選択画面１４０を表示させ、いずれのインターフェイスに入力された画像信号に基づく画像を表示させるのかを操作者に選択させる。制御部７０は、リモコン５又は操作パネル４３により画像信号を選択する操作を受け付けると、受け付けた操作により選択されたインターフェイスに入力される画像信号に基づく画像をスクリーンＳＣに表示させる。
【００６３】
図８は、プロジェクター１０の電源がオンされたときの制御部７０の動作を示すフローチャートである。図８に示すフローチャートを参照しながら電源がオンされたときの制御部７０の動作を説明する。
制御部７０は、電源がオンされ起動すると（ステップＳ１）、インターフェイス部５０が備える複数のインターフェイスの各々に、画像信号の入力があるか否かを検出する（ステップＳ２）。
【００６４】
制御部７０は、複数のインターフェイスの各々に、画像信号の入力があるか否かを検出すると、画像信号の入力があるインターフェイスの数を判定する。制御部７０は、画像信号の入力が検出されたインターフェイスの数が「０」である場合（ステップＳ３／ＹＥＳ）、スクリーンＳＣに初期画面１１０を投射させる（ステップＳ５）。画像信号の入力が検出されたインターフェイスの数が「０」である場合、初期画面１１０を表示させることで、プロジェクター１０にＰＣ等の外部装置が接続されていないことを通知し、操作者に、外部装置とプロジェクター１０との接続を促すことができる。
【００６５】
また、制御部７０は、画像信号の入力が検出されたインターフェイスの数が「０」ではなく（ステップＳ３／ＮＯ）、「１」である場合（ステップＳ４／ＹＥＳ）、スクリーンＳＣに入力信号画面１３０を表示させる（ステップＳ６）。画像信号の入力が検出されたインターフェイスの数が「１」である場合、入力信号画面１３０を表示させることで、外部装置から供給された画像信号に基づく画像がスクリーンＳＣに表示される。
【００６６】
また、制御部７０は、画像信号の入力が検出されたインターフェイスの数が「１」ではなく（ステップＳ４／ＮＯ）、複数である場合、スクリーンＳＣに信号選択画面１４０を表示させる（ステップＳ７）。プロジェクター１０に複数の外部装置が接続され、これらの外部装置から画像信号が入力されている場合に、信号選択画面１４０を表示させて、スクリーンＳＣに表示させる画像信号を操作者に選択させる。
【００６７】
次に、外部装置の接続が検出された場合のプロジェクター１０の動作について説明する。
図９は、接続が検出されたときに表示する画面の表示条件を示す図である。
まず、外部装置の接続が検出されたときに、スクリーンＳＣに初期画面１１０が表示されていた場合について説明する。また、外部装置は、プロジェクター１０に画像を表示させるためにプロジェクター１０に接続されるのであるから、外部装置の接続が検出された後に、画像信号が入力されるインターフェイスの数が「０」となる場合は想定していない。このため接続が検出された後に、画像信号が入力されるインターフェイスの数が「０」となる場合については説明を省略する。
制御部７０は、初期画面１１０が表示された状態で外部装置の接続が検出され、信号入力ありのインターフェイスの数が「１」である場合、入力信号画面１３０を表示させる。この入力信号画面１３０には、信号入力ありのインターフェイスに入力された画像信号に基づく画像が表示される。また、制御部７０は、外部装置の接続が検出され、信号入力ありのインターフェイスの数が「複数」である場合、信号選択画面１４０を表示させる。
【００６８】
次に、外部装置の接続が検出されたときに、スクリーンＳＣに信号なし画面１２０が表示されていた場合について説明する。この場合も外部装置の接続が検出された後に、画像信号が入力されるインターフェイスの数が「０」となる場合は想定していないため、この場合についての説明は省略する。
制御部７０は、信号なし画面１２０が表示された状態で外部装置の接続が検出され、信号入力ありのインターフェイスの数が「１」である場合、入力信号画面１３０を表示させる。この入力信号画面１３０には、信号入力ありのインターフェイスに入力された画像信号に基づく画像が表示される。また、制御部７０は、信号なし画面１２０が表示された状態において、外部装置の接続が検出され、信号入力ありのインターフェイスの数が「複数」である場合、信号選択画面１４０を表示させる。
【００６９】
次に、外部装置の接続が検出されたときに、スクリーンＳＣに入力信号画面１３０が表示されていた場合について説明する。入力信号画面１３０が表示された状態で、外部装置の接続が検出されたときに、画像信号が入力されるインターフェイスの数が「０」となる場合はない。また、外部装置の接続が検出された後に、画像信号が入力されるインターフェイスの数が「０」となる場合は想定していないため、この場合についての説明は省略する。
制御部７０は、スクリーンＳＣに入力信号画面１３０を表示させた状態で外部装置の接続が検出され、信号ありのインターフェイスの数が「複数」である場合、入力信号画面１３０の表示を継続させる。制御部７０は、信号入力ありのインターフェイスの数が１から複数に変化しても、入力信号画面１３０に表示中の画像の表示を継続させる。例えば、第１インターフェイス５１０に入力された画像信号に基づく画像が入力信号画面１３０に表示された状態で、第２インターフェイス５２０に外部装置の接続が検出されても、第１インターフェイス５１０に入力された画像信号に基づく画像の表示を継続させる。
【００７０】
次に、外部装置の接続が検出されたときに、スクリーンＳＣに信号選択画面１４０が表示されていた場合について説明する。この場合も接続が検出された後に、画像信号が入力されるインターフェイスの数が「０」となる場合についての説明を省略する。
制御部７０は、信号選択画面１４０が表示された状態で外部装置の接続が検出され、信号ありのインターフェイスの数が「１」である場合、入力信号画面１３０を表示させる。つまり、スクリーンＳＣに表示させる表示画面を信号選択画面１４０から入力信号画面１３０に変更する。この入力信号画面１３０には、信号ありのインターフェイスに入力された画像信号に基づく画像が表示される。
また、制御部７０は、信号選択画面１４０が表示された状態で外部装置の接続が検出され、信号ありのインターフェイスの数が「複数」である場合、信号選択画面１４０に表示された情報を更新する。すなわち、制御部７０は、新たに信号ありと判定したインターフェイスに入力された画像信号に基づいてサムネイル画像１４５を生成し、生成したサムネイル画像１４５を信号選択画面１４０に表示させる。
【００７１】
次に、外部装置の接続が検出されたときに、スクリーンＳＣにアプリ画面１５０が表示されていた場合について説明する。この場合も接続が検出された後に、画像信号が入力されるインターフェイスの数が「０」となる場合についての説明を省略する。
制御部７０は、アプリ画面１５０が表示された状態で外部装置の接続が検出され、信号ありのインターフェイスの数が「１」又は「複数」である場合、外部装置が新たに接続されたことをアプリケーションプログラムに通知する。このとき、制御部７０は、外部装置の接続又は切断が検出されても、アプリ画面１５０の表示を継続させる。通知を受けたアプリケーションプログラムは、例えば、新たに接続が検出された外部装置の情報をアプリ画面１５０に表示させてもよいし、表示させなくてもよい。
【００７２】
図１０は、接続が検出されたときの制御部７０の動作を示すフローチャートである。
まず、制御部７０は、インターフェイス回路５１３、５２３、５３３のいずれか、又は無線通信部５４０から接続通知信号が入力され、接続が検出されたか否かを判定する（ステップＳ１１）。ステップＳ１１は、本発明の「検出ステップ」に相当する。制御部７０は、接続が検出されない場合（ステップＳ１１／ＮＯ）、ステップＳ１１の判定に戻る。
【００７３】
また、制御部７０は、接続が検出された場合（ステップＳ１１／ＹＥＳ）、インターフェイス部５０が備える複数のインターフェイスの各々について、画像信号の入力があるかを検出する（ステップＳ１２）。制御部７０は、複数のインターフェイスの各々について、画像信号の入力があるか否かを検出すると、画像信号の入力があるインターフェイスの数を判定する。制御部７０は、画像信号の入力があるインターフェイスの数が「０」の場合（ステップＳ１３／ＹＥＳ）、信号なし画面１２０を表示させるか、また、すでに信号なし画面１２０を表示させている場合には、信号なし画面１２０の表示を継続させ、この処理フローを終了させる。
【００７４】
また、制御部７０は、画像信号の入力があるインターフェイスの数が「０」ではなく（ステップＳ１３／ＮＯ）、「１」である場合（ステップＳ１４／ＹＥＳ）、表示中の画面が初期画面１１０又は信号なし画面１２０であるか否かを判定する（ステップＳ１５）。制御部７０は、表示中の画面が初期画面１１０又は信号なし画面１２０である場合（ステップＳ１５／ＹＥＳ）、スクリーンＳＣに入力信号画面１３０を表示させる（ステップＳ１６）。ステップＳ１６は、本発明の「表示ステップ」に相当する。この入力信号画面１３０には、画像信号の入力があるインターフェイスに入力された画像信号に基づく画像が表示される。
【００７５】
また、制御部７０は、表示中の画面が初期画面１１０又は信号なし画面１２０ではなく（ステップＳ１５／ＮＯ）、入力信号画面１３０である場合（ステップＳ１７／ＹＥＳ）、表示中の入力信号画面１３０の表示を継続する。すなわち、制御部７０は、外部装置の接続が検出される前から表示されていた入力信号画面１３０の表示を継続させる。この入力信号画面１３０には、外部装置の接続が検出される前から表示されていた画像が表示される。
【００７６】
また、制御部７０は、表示中の画面が入力信号画面１３０ではなく（ステップＳ１７／ＮＯ）、信号選択画面１４０である場合（ステップＳ１８／ＹＥＳ）、信号選択画面１４０に代えて入力信号画面１３０を表示させる（ステップＳ１６）。すなわち、信号入力ありのインターフェイスの数が「１」に変化したため、制御部７０は、入力信号画面１３０を表示させる。この入力信号画面１３０には、信号入力ありのインターフェイスに入力された画像信号に基づく画像を表示させる。
【００７７】
また、制御部７０は、表示中の画面が信号選択画面１４０ではない場合（ステップＳ１８／ＮＯ）、接続が検出された外部装置の情報をアプリケーションプログラムに通知する（ステップＳ１９）。アプリケーションプログラムは、入力された外部装置の情報をアプリ画面１５０に表示させる。
【００７８】
また、制御部７０は、画像信号の入力があるインターフェイスの数が「１」ではなく（ステップＳ１４／ＮＯ）、複数である場合、表示中の画面が初期画面１１０又は信号なし画面１２０であるか否かを判定する（ステップＳ２０）。制御部７０は、表示中の画面が初期画面１１０又は信号なし画面１２０である場合（ステップＳ２０／ＹＥＳ）、スクリーンＳＣに信号選択画面１４０を表示させる（ステップＳ２１）。ステップＳ２１は、本発明の「表示ステップ」に相当する。画像信号の入力があるインターフェイスが複数存在するため、制御部７０は、初期画面１１０又は信号なし画面１２０に代えて信号選択画面１４０を表示させる。
【００７９】
また、制御部７０は、表示中の画面が初期画面１１０又は信号なし画面１２０ではなく（ステップＳ２０／ＮＯ）、入力信号画面１３０である場合（ステップＳ２２／ＹＥＳ）、表示中の入力信号画面１３０の表示を継続させる。例えば、第１インターフェイス５１０に入力された画像信号に基づく画像を入力信号画面１３０に表示させた状態で、第２インターフェイス５２０に外部装置の接続が検出されと仮定する。この場合、制御部７０は、第１インターフェイス５１０に入力された画像信号に基づく画像の表示を継続させる。
【００８０】
また、制御部７０は、表示中の画面が入力信号画面１３０ではなく（ステップＳ２２／ＮＯ）、信号選択画面１４０である場合（ステップＳ２３／ＹＥＳ）、信号選択画面１４０の表示を更新する（ステップＳ２４）。制御部７０は、画像信号の入力が新たに検出されたインターフェイスに入力された画像信号のサムネイル画像１４５を生成し、生成したサムネイル画像１４５を信号選択画面１４０に追加表示させる。ステップＳ２４は、本発明の「表示ステップ」に相当する。
【００８１】
また、制御部７０は、表示中の画面が信号選択画面１４０ではない場合（ステップＳ２３／ＮＯ）、接続が検出された外部装置の情報をアプリケーションプログラムに通知する（ステップＳ２５）。アプリケーションプログラムは、入力された外部装置の情報をアプリ画面１５０に表示させる。
【００８２】
次に、外部装置の切断が検出された場合のプロジェクター１０の動作について説明する。
図１１は、切断が検出されたときに表示する画面の表示条件を示す図である。なお、初期画面１１０が表示された状態で切断が検出されるケースは存在しないので、このケースについての説明は省略する。
【００８３】
まず、外部装置の切断が検出されたときに、スクリーンＳＣに信号なし画面１２０が表示されていた場合について説明する。
制御部７０は、信号なし画面１２０が表示された状態で外部装置の切断が検出され、信号入力ありのインターフェイスの数が「０」である場合、初期画面１１０を表示させる。また、制御部７０は、信号なし画面１２０が表示された状態で外部装置の切断が検出され、信号入力ありのインターフェイスの数が「１」である場合、入力信号画面１３０を表示させる。また、制御部７０は、信号なし画面１２０が表示された状態で外部装置の切断が検出され、信号入力ありのインターフェイスの数が「複数」である場合、信号選択画面１４０を表示させる。
【００８４】
次に、外部装置の切断が検出されたときに、スクリーンＳＣに入力信号画面１３０が表示されていた場合について説明する。
制御部７０は、スクリーンＳＣに入力信号画面１３０が表示された状態で外部装置の切断が検出されると、切断が検出されたインターフェイスが、入力信号画面１３０に画像を表示していた画像信号が入力されるインターフェイスであるか否かを判定する。以下では、第２インターフェイス５２０に入力されていた画像信号に基づく画像が入力信号画面１３０としてスクリーンＳＣに表示されていたと仮定して説明する。
【００８５】
制御部７０は、外部装置の切断が検出されると、切断が検出されたインターフェイスが第２インターフェイス５２０であるか否かを判定する。制御部７０は、切断が検出されたインターフェイスが第２インターフェイス５２０であって、切断を検出後の信号入力ありのインターフェイスの数が「０」である場合、入力信号画面１３０の表示を停止し、初期画面１１０又は信号なし画面１２０を表示させる。制御部７０は、インターフェイス部５０が備えるインターフェイスのいずれも接続を未検出である場合、初期画面１１０を表示させる。また、制御部７０は、接続を検出しているインターフェイスがあるが、信号入力ありのインターフェイスの数が「０」である場合、信号なし画面１２０を表示させる。
【００８６】
また、制御部７０は、切断が検出されたインターフェイスが第２インターフェイス５２０であって、切断を検出後の信号入力ありのインターフェイスの数が「１」である場合、入力信号画面１３０の表示を継続させる。この入力信号画面１３０には、別の画像が表示される。制御部７０は、入力信号画面１３０に表示させる画像を、切断が検出されたインターフェイス、すなわち第２インターフェイス５２０に入力されていた画像信号の画像から、信号入力があるインターフェイスに入力される画像信号の画像に変更する。切断の検出後も入力信号画面１３０が表示されるため、不要な画面の切り替えを防止して操作者の操作の手間を軽減させることができる。
【００８７】
また、制御部７０は、切断が検出されたインターフェイスが第２インターフェイス５２０であって、信号入力ありのインターフェイスの数が「複数」である場合、信号選択画面１４０を表示させる。信号選択画面１４０を表示させ、信号入力ありのインターフェイスのうち、いずれのインターフェイスに入力された画像信号に基づく画像を表示させるのかを操作者に選択させる。
【００８８】
また、制御部７０は、切断が検出されたインターフェイスが第２インターフェイス５２０以外のインターフェイスであって、切断を検出後の信号入力ありのインターフェイスの数が「１」又は「複数」である場合、入力信号画面１３０の表示を継続させる。すなわち、第２インターフェイス５２０に入力された画像信号に基づく画像が入力信号画面１３０として表示される。
【００８９】
次に、外部装置の切断が検出されたときに、スクリーンＳＣに信号選択画面１４０が表示されていた場合について説明する。
制御部７０は、信号選択画面１４０が表示された状態で外部装置の切断が検出され、信号入力ありのインターフェイスの数が「０」である場合、初期画面１１０を表示させる。また、制御部７０は、信号選択画面１４０が表示された状態で外部装置の切断が検出され、信号入力ありのインターフェイスの数が「１」である場合、入力信号画面１３０を表示させる。すなわち、制御部７０は、信号入力ありのインターフェイスの数が「複数」から「１」に変化したため、入力信号画面１３０を表示させる。この入力信号画面１３０には、信号入力ありのインターフェイスに入力された画像信号に基づく画像が表示される。また、制御部７０は、信号選択画面１４０が表示された状態で外部装置の切断が検出され、信号入力ありのインターフェイスの数が「複数」である場合、信号選択画面１４０の表示を更新する。このとき、制御部７０は、切断されたインターフェイスに入力されていた画像信号に基づいて生成されたサムネイル画像１４５を信号選択画面１４０から消去する。
【００９０】
次に、外部装置の切断が検出されたときに、スクリーンＳＣにアプリ画面１５０が表示されていた場合について説明する。この場合、制御部７０は、画像信号の入力が検出されたインターフェイスの数が「０」、「１」、「複数」のいずれに変化しても、表示中のアプリ画面１５０の表示を継続させる。
【００９１】
図１２は、切断が検出された場合の制御部７０の動作を示すフローチャートである。
まず、制御部７０は、インターフェイス回路５１３、５２３、５３３のいずれか、又は無線通信部５４０から切断通知信号が入力され、切断が検出されたか否かを判定する（ステップＳ３１）。ステップＳ３１は、本発明の「検出ステップ」に相当する。制御部７０は、切断が検出されない場合（ステップＳ３１／ＮＯ）、ステップＳ３１の判定に戻る。
【００９２】
また、制御部７０は、切断が検出された場合（ステップＳ３１／ＹＥＳ）、インターフェイス部５０が備える複数のインターフェイスの各々について、画像信号の入力があるかを検出する（ステップＳ３２）。制御部７０は、複数のインターフェイスの各々について、画像信号の入力を検出すると、画像信号の入力があるインターフェイスの数を判定する。制御部７０は、画像信号の入力があるインターフェイスの数が「０」の場合（ステップＳ３３／ＹＥＳ）、表示中の画面がアプリ画面１５０であるか否かを判定する（ステップＳ３４）。
【００９３】
制御部７０は、表示中の画面がアプリ画面１５０である場合（ステップＳ３４／ＹＥＳ）、何ら処理を実行せず、この処理フローを終了させる。また、制御部７０は、表示中の画面がアプリ画面１５０ではない場合（ステップＳ３４／ＮＯ）、初期画面１１０を表示させる（ステップＳ３５）。ステップＳ３５は、本発明の「表示ステップ」に相当する。
【００９４】
また、制御部７０は、画像信号の入力があるインターフェイスの数が「０」ではない場合（ステップＳ３３／ＮＯ）、切断を検出したインターフェイスが、画像信号が入力されていたインターフェイスであるか否かを判定する（ステップＳ３６）。この画像信号は、切断の検出前に、投射部２０により表示させていた画像の元になる画像信号である。制御部７０は、切断を検出したインターフェイスが、画像信号が入力されていたインターフェイスではない場合（ステップＳ３６／ＮＯ）、入力信号画面１３０の表示を継続させる（ステップＳ３９）。
【００９５】
また、制御部７０は、切断を検出したインターフェイスが、画像信号が入力されていたインターフェイスである場合（ステップＳ３６／ＹＥＳ）、画像信号の入力があるインターフェイスの数が「１」であるか否かを判定する（ステップＳ３７）。制御部７０は、画像信号の入力があるインターフェイスの数が「１」である場合（ステップＳ３７／ＹＥＳ）、表示中の画面がアプリ画面１５０であるか否かを判定する（ステップＳ３８）。制御部７０は、表示中の画面がアプリ画面１５０である場合（ステップＳ３８／ＹＥＳ）、何ら処理を実行せず、この処理フローを終了させる。また、制御部７０は、表示中の画面がアプリ画面１５０ではない場合（ステップＳ３８／ＮＯ）、入力信号画面１３０を表示させる（ステップＳ３９）。すなわち、画像信号の入力があるインターフェイスの数が変化して「１」となったため、制御部７０は、入力信号画面１３０を表示させる。この入力信号画面１３０には、画像信号の入力があるインターフェイスに入力された画像信号に基づく画像が表示される。ステップＳ３９は、本発明の「表示ステップ」に相当する。
【００９６】
また、制御部７０は、画像信号の入力があるインターフェイスの数が「１」ではなく（ステップＳ３７／ＮＯ）、複数である場合、表示中の画面が初期画面１１０又は信号なし画面１２０であるか否かを判定する（ステップＳ４０）。制御部７０は、表示中の画面が初期画面１１０又は信号なし画面１２０である場合（ステップＳ４０／ＹＥＳ）、スクリーンＳＣに信号選択画面１４０を表示させる（ステップＳ４１）。画像信号の入力が検出されたインターフェイスが複数存在するため、制御部７０は、初期画面１１０又は信号なし画面１２０に代えて信号選択画面１４０を表示させる。ステップＳ４１は、本発明の「表示ステップ」に相当する。
【００９７】
また、制御部７０は、表示中の画面が初期画面１１０又は信号なし画面１２０ではなく（ステップＳ４０／ＮＯ）、入力信号画面１３０である場合（ステップＳ４２／ＹＥＳ）、表示中の入力信号画面１３０の表示を継続させ、この処理フローを終了させる。
【００９８】
また、制御部７０は、表示中の画面が入力信号画面１３０ではなく（ステップＳ４２／ＮＯ）、信号選択画面１４０である場合（ステップＳ４３／ＹＥＳ）、信号選択画面１４０の表示を更新する（ステップＳ４４）。すなわち、制御部７０は、画像信号が新たに入力されたインターフェイスに入力された画像信号のサムネイル画像１４５を生成し、生成したサムネイル画像１４５を信号選択画面１４０に追加表示させる。ステップＳ４４は、本発明の「表示ステップ」に相当する。
【００９９】
また、制御部７０は、表示中の画面が信号選択画面１４０ではない場合（ステップＳ４３／ＮＯ）、何ら処理を実行せず、このフローを終了させる。
【０１００】
以上説明したように本実施形態のプロジェクター１０は、表示部として機能する投射部２０と、複数のインターフェイスとして第１インターフェイス５１０、第２インターフェイス５２０、通信インターフェイス５３０及び無線通信部５４０を備える。
また、プロジェクター１０は、これら複数のインターフェイスと外部装置との接続又は切断を検出する検出部としてインターフェイス回路５１３、５２３、５３３及び無線通信部５４０を備える。
さらに、プロジェクター１０は、第１インターフェイス５１０、第２インターフェイス５２０、通信インターフェイス５３０及び無線通信部５４０の各々への信号入力の有無を検出する検出部として信号検出部７３を備える。
また、プロジェクター１０は、外部装置の接続又は切断が検出されると、投射部２０が投射する画面と、信号入力ありのインターフェイスの数とに基づいて投射部２０に投射させる画面を第１画面である初期画面１１０又は信号なし画面１２０、第２画面である入力信号画面１３０、第３画面である信号選択画面１４０のいずれかに変更する表示制御部７４を備える。
【０１０１】
初期画面１１０及び信号なし画面１２０は、インターフェイスに信号が入力されていないことを示す画面である。
入力信号画面１３０は、信号が入力されているインターフェイスに入力された信号に基づく画像が表示される画面である。
信号選択画面１４０は、複数のインターフェイスのうち、いずれかのインターフェイスに入力された信号に基づく画像を表示させるのかを選択させる画面である。
【０１０２】
表示制御部７４は、さらに、入力信号画面１３０を表示させた状態で外部装置の切断が検出され、切断が検出されたインターフェイスが、入力信号画面１３０に表示された画像の元になる信号が入力されるインターフェイスである場合、次の動作を実行する。
信号が入力されているインターフェイスが存在しない場合、表示制御部７４は、第１画面である初期画面１１０又は信号なし画面１２０を表示する。また、信号が入力されているインターフェイスの数が１つの場合、表示制御部７４は、当該信号が入力されているインターフェイスに入力された信号に基づく画像が表示される入力信号画面１３０を表示する。さらに、信号が入力されているインターフェイスの数が複数の場合、表示制御部７４は、信号選択画面１４０を表示する。
従って、切断が検出された後、信号が入力されているインターフェイスの数が１つの場合、信号選択画面１４０ではなく入力信号画面１３０が表示されるので、不要な画面の切り替えを防止して操作者の操作の手間を軽減させることができる。また、信号が入力されているインターフェイスの数が複数の場合、信号選択画面１４０が表示されるので、試聴する画像を操作者に選択させることができる。
【０１０３】
表示制御部７４は、入力信号画面１３０を表示した状態で外部装置の接続が検出され、信号が入力されているインターフェイスの数が複数に変化しても、入力信号画面１３０の表示を継続する。
従って、不要な画面の切り替えを防止して操作者の操作の手間を軽減させることができる。
【０１０４】
表示制御部７４は、外部装置の接続又は切断が検出されると、信号検出部７３に、複数のインターフェイスの各々に信号入力があるか否かを検出させる。
従って、外部装置の接続又は切断を契機として各インターフェイスに信号の入力があるか否かを検出し、信号入力ありのインターフェイスの数に基づいて画面の表示を切り替えることができる。
【０１０５】
また、表示制御部７４は、アプリケーションプログラムを実行して第４画面であるアプリ画面１５０を表示させた状態で、外部装置の接続又は切断が検出されても、アプリ画面１５０の表示を継続させる。
従って、インターフェイスに入力された信号に基づく画像を表示させる必要がない場合には、外部装置の接続又は切断が検出されても、画面の表示を継続させることができる。
【０１０６】
また、第１インターフェイス５１０のコネクター５１１、及び第２インターフェイス５２０のコネクター５２１に接続されるケーブルには、ＨＰＤ（Hot Plug Detect）ラインが含まれる。第１インターフェイス５１０及び第２インターフェイス５２０は、ＨＰＤラインが接続されたピンの電圧変化を検出して、外部装置の接続及び切断を検出する。
従って、第１インターフェイス５１０及び第２インターフェイス５２０への外部装置の接続と切断とを検出することができる。
【０１０７】
また、信号検出部７３は、第１インターフェイス５１０、第２インターフェイス５２０、通信インターフェイス５３０及び無線通信部５４０の各々に入力される同期信号に基づいて信号入力ありのインターフェイスを検出する。
従って、信号入力ありのインターフェイスを検出することができる。
【０１０８】
また、信号検出部７３は、外部装置との接続を検出したインターフェイスの数を、信号入力ありのインターフェイスの数として検出してもよい。
従って、信号入力があるインターフェイスの検出を簡略化することができる。
【０１０９】
上述した実施形態は本発明を適用した具体的態様の例に過ぎず、本発明を限定するものではなく、異なる態様として本発明を適用することも可能である。
例えば、上記実施形態では、表示装置の一例としてプロジェクター１０を示したが、本発明の表示装置は、液晶ディスプレイであってもよい。また、プラズマディスプレイパネルや有機ＥＬパネルを備えた表示装置であってもよい。
【０１１０】
また、表示装置の制御方法を、表示装置が備えるコンピューターを用いて実現される場合、このコンピューターに実行させるプログラムを記録媒体、又はこのプログラムを伝送する伝送媒体の態様で構成することも可能である。記録媒体には、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ Ｄｉｓｃ、光磁気ディスク、フラッシュメモリー、カード型記録媒体等の可搬型、或いは固定式の記録媒体が挙げられる。また、上記記録媒体は、画像表示装置が備える内部記憶装置であるＲＡＭ（Random Access Memory）、ＲＯＭ（Read Only Memory）、ＨＤＤ等の不揮発性記憶装置であってもよい。Ｂｌｕ−ｒａｙは、登録商標である。
【０１１１】
また、図８、図１０及び図１２に示すフローチャートの処理単位は、制御部７０の処理を理解容易にするために、主な処理内容に応じて分割したものである。このため、図８、図１０及び図１２のフローチャートに示す処理単位の分割の仕方や名称によって本発明が制限されることはない。また、制御部７０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【０１１２】
図１及び図２に示した機能ブロックのうち少なくとも一部は、ハードウェアで実現してもよいし、ハードウェアとソフトウェアの協働により実現される構成としてもよい。また、図に示した通りに独立したハードウェア資源を配置する構成に限定されず、図示した以外の機能部を備える構成であってもよい。
【符号の説明】
【０１１３】
５…リモコン、７…指示体、１０…プロジェクター、２０…投射部（表示部）、２１…光源、２３…光変調装置、２５…光学ユニット、３１…駆動回路、３３…光変調装置駆動部、４１…リモコン受光部、４３…操作パネル、４５…撮像部、５０…インターフェイス部、５３…画像処理部、５５…フレームメモリー、６０…記憶部、６５…制御プログラム、７０…制御部、７１…指示体検出部、７２…処理制御部、７３…信号検出部（検出部）、１１０…初期画面、１２０…信号なし画面、１３０…入力信号画面、１４０…信号選択画面、１４５…サムネイル画像、１５０…アプリ画面、１７０…ツールボックス、５１０…第１インターフェイス、５１１…コネクター、５１３…インターフェイス回路（検出部）、５２０…第２インターフェイス、５２１…コネクター、５２３…インターフェイス回路（検出部）、５３０…通信インターフェイス、５３１…コネクター、５３３…インターフェイス回路（検出部）、５４０…無線通信部（検出部）。
【図１】
2020064100.tif 000003
【図２】
2020064100.tif 000004
【図３】
2020064100.tif 000005
【図４】
2020064100.tif 000006
【図５】
2020064100.tif 000007
【図６】
2020064100.tif 000008
【図７】
2020064100.tif 000009
【図８】
2020064100.tif 000010
【図９】
2020064100.tif 000011
【図１０】
2020064100.tif 000012
【図１１】
2020064100.tif 000013
【図１２】
2020064100.tif 000014